(57)【要約】【課題】  表示する映像コンテンツに応じて、適切な視聴環境（周囲の明るさ）を得ることを可能とし、良好な環境で映像コンテンツの視聴を可能とした画像表示装置を提供する。【解決手段】  テレビジョン信号及び番組情報に関するデータを受信するチューナ部(2)と、チューナ部で受信したテレビジョン信号、及び／または前記番組情報に関するデータ用いて、表示番組のメインジャンル及びサブジャンルに関する情報を検出する情報検出部(6)と、検出された前記番組メインジャンル及びサブジャンルに関する情報に基づいて、外部の照明装置の明るさを制御するための外部機器制御部(7)とを備える。【選択図】  図１
2006325043.tif 000002
【特許請求の範囲】
【請求項１】
画像表示装置において、
入力された映像信号、及び／または映像コンテンツに関するデータを用いて、該映像コンテンツのメインジャンル及びサブジャンルに関する情報を検出する情報検出部と、
前記情報検出部によって検出された前記映像コンテンツのメインジャンル及びサブジャンルに関する情報に基づいて、外部機器を制御するための外部機器制御部と、
を備えることを特徴とする画像表示装置。
【請求項２】
請求項１に記載の画像表示装置において、前記外部機器は、照明装置であり、前記外部機器制御部は、前記検出された映像コンテンツのメインジャンル及びサブジャンルに関する情報に基づいて前記照明装置の明るさを制御することを特徴とする画像表示装置。
【請求項３】
請求項１に記載の画像表示装置において、前記映像コンテンツに関するデータは、電子番組ガイドのデータであることを特徴とする画像表示装置。
【請求項４】
請求項３に記載の画像表示装置において、前記電子番組ガイドのデータは、番組ジャンルの情報を含んでおり、前記情報検出部は、該番組ジャンルの情報から前記映像コンテンツのメインジャンルに関する情報を検出することを特徴とする画像表示装置。
【請求項５】
請求項４に記載の画像表示装置において、前記電子番組ガイドのデータは、更に番組の内容に関する文字データを含み、前記情報検出部は、前記文字データ情報から前記映像コンテンツのサブジャンルに関する情報を検出することを特徴とする画像表示装置。
【請求項６】
請求項４に記載の画像表示装置において、前記情報検出部は、前記映像信号のテレシネ変換に関する情報を用いてとともに入力される電子番組ガイドのデータを用いて前記映像コンテンツのサブジャンルに関する情報を検出することを特徴とする画像表示装置。
【請求項７】
請求項１に記載の画像表示装置において、更に、前記映像信号の特徴を検出する特徴検出部を備え、前記外部機器制御部は、該特徴検出部で検出された情報も用いて前記外部機器を制御することを特徴とする画像表示装置。
【請求項８】
請求項７に記載の画像表示装置において、前記特徴検出部は、前記映像信号の特徴として前記映像信号の１フレームまたは１フィールド期間の平均輝度を検出することを特徴とする画像表示装置。
【請求項９】
請求項７に記載の画像表示装置において、前記特徴検出部は、前記映像信号の特徴として前記映像信号の１フレームまたは１フィールド期間の輝度分布を検出することを特徴とする画像表示装置。
【請求項１０】
テレビジョン受像機において、
テレビジョン信号及び番組情報に関するデータを受信するチューナ部と、
該チューナ部で受信したテレビジョン信号、及び／または前記番組情報に関するデータ用いて、表示番組のメインジャンル及びサブジャンルに関する情報を検出する情報検出部と、
前記情報検出部によって検出された前記番組メインジャンル及びサブジャンルに関する情報に基づいて、外部の照明装置の明るさを制御するための外部機器制御部と、
を備えることを特徴とするテレビジョン受像機。
【請求項１１】
請求項１０に記載のテレビジョン受像機において、前記外部機器制御部は、無線により前記照明装置の制御を行うことを特徴とするテレビジョン受像機。
【請求項１２】
請求項１１に記載のテレビジョン受像機において、前記外部機器制御部は、赤外線を用いて前記照明装置の制御を行うことを特徴とするテレビジョン受像機。
【請求項１３】
請求項１０に記載のテレビジョン受像機において、前記外部機器制御部は、有線により前記照明装置の制御を行うことを特徴とするテレビジョン受像機。
【請求項１４】
請求項１０に記載のテレビジョン受像機において、前記情報検出部は、少なくとも、前記番組情報に関するデータに含まれる番組ジャンル情報を用いて前記メインジャンルの情報を検出し、
前記外部機器制御部は、前記情報検出部が前記番組のメインジャンルとして映画を検出した場合は前記照明装置を第１の明るさとし、番組のメインジャンルとしてアニメーションを検出した場合は前記照明装置を前記第１の明るさよりも高い第２の明るさとすることを特徴とするテレビジョン受像機。
【請求項１５】
請求項１４に記載のテレビジョン受像機において、前記外部機器制御部は、前記情報検出部が前記番組のメインジャンルとして映画を検出し、かつ前記番組のサブジャンルとしてアニメーションを検出した場合は、前記照明装置を前記第２の明るさとすることを特徴とするテレビジョン受像機。
【請求項１６】
請求項１４に記載のテレビジョン受像機において、前記外部機器制御部は、前記情報検出部が前記番組のメインジャンルとして映画を検出し、かつ前記番組のサブジャンルとして特定ジャンルを検出した場合は、前記照明装置を前記第１の明るさよりも低い第３の明るさとすることを特徴とするテレビジョン受像機。
【請求項１７】
画像表示装置において、
入力された映像信号のテレシネ変換に関する第１の特徴を検出するとともに、該入力映像信号の輝度に関する第２の特徴を検出する検出部と、
前記検出部によって検出された前記第１の特徴及び第２の特徴に基づいて外部機器を制御するための外部機器制御部と、
を備えることを特徴とする画像表示装置。
【請求項１８】
請求項１７に記載の画像表示装置において、前記検出部は、前記検出された第１の特徴から映像コンテンツのジャンルに関する情報を判別することを特徴とする画像表示装置。
【発明の詳細な説明】
【技術分野】
【０００１】
本発明は、テレビジョン受像機等の画像表示装置に係り、特に表示の内容に応じて部屋の照明装置などの外部機器を制御可能にした画像表示装置に関する。
【背景技術】
【０００２】
テレビジョン受像機等の画像表示装置において、表示される映像のコンテンツ（放送番組のジャンルや種類）に応じて外部機器、特に部屋の照明の明るさを制御する従来技術としては、例えば下記特許文献１及び２に記載のものが知られている。
【０００３】
【特許文献１】特開２００３−３２３１６９号公報
【特許文献２】特開２０００−１６４７１号公報
【発明の開示】
【発明が解決しようとする課題】
【０００４】
上記特許文献１、２に記載の従来技術は、入力テレビジョン信号に含まれるコンテンツ情報、または放送番組のジャンルや種類に対応する照明設定信号を用いて照明の明るさを制御している。しかしながら、特許文献１及び２に記載のものでは、番組のジャンルを「映画」、「ドキュメント」、「アニメーション」等の大まかな分類でしか判別できない。「映画」には、例えば実写映画やアニメーション映画があり、特許文献１や２に記載のものでは、実写映画とアニメーション映画とで同じ照明制御を行うこととなる。
【０００５】
アニメーション映画は、通常の「アニメーション」と同様に、短期間で頻繁に色や輝度が変化する映像が含まれている場合があり、このような場合は照明を明るくして視聴者への視覚的な刺激を低減させることが好ましい。しかしながら、上記特許文献１や２に記載のものでは、このような場合に対応できない。
【０００６】
本発明は、このような課題に鑑みて為されたものであって、その目的は、映像コンテンツに応じた適切な視聴環境を得ることが可能な技術を提供することにある。
【課題を解決するための手段】
【０００７】
上記目的を達成するために、本発明では、映像コンテンツのメインジャンル及びサブジャンルに関する情報を検出する情報検出部と、該検出された映像コンテンツのメインジャンル及びサブジャンルに関する情報に基づいて、外部機器、特に部屋内の照明装置の明るさを制御する外部機器制御部とを設けたことを特徴とするものである。
【０００８】
少なくとも、上記映像コンテンツのメインジャンル情報は、映像信号とともに入力される電子番組ガイドのデータに含まれる、番組ジャンルの情報から検出する。また、映像コンテンツのサブジャンル情報は、上記電子番組ガイドのデータに含まれる、番組の内容や番組名称等を記述する文字データ（例えばASCIIコード）から検出してもよい。また映像コンテンツのサブジャンル情報は、入力映像信号のテレシネ変換に関する情報を用いて検出してもよい。
【０００９】
ここで、上記外部機器制御部は、メインジャンル情報として例えば「映画」が検出された場合は、メインジャンル情報として「アニメーション」が検出された場合よりも照明の明るさを高くするように照明装置を制御する。しかしながら、メインジャンル情報として「映画」が検出された場合であっても、サブジャンル情報として例えば「アニメーション」が検出された場合は、例えばメインジャンル情報として「アニメーション」が検出された場合と同じ明るさとなるように照明を制御する。更に、メインジャンル情報として「映画」が検出された場合であっても、サブジャンル情報として特定ジャンル、例えば「ホラー」が検出された場合は、メインジャンル情報として「映画」が検出された場合と同じ明るさとなるように照明を制御する。
【発明の効果】
【００１０】
本発明によれば、表示する映像コンテンツに応じて、適切な視聴環境（周囲の明るさ）を得ることが可能となり、良好な環境で映像コンテンツの視聴が可能になる。
【発明を実施するための最良の形態】
【００１１】
以下、本発明を実施するための好ましい形態について、図面を参照しつつ以下に説明する。
【実施例１】
【００１２】
図１は、本発明に係る画像表示装置１の一実施例を示すブロック図である。本実施例は、画像表示装置として、テレビジョン受像機を例にして説明する。また、本実施例は、映像コンテンツのメインジャンル及びサブジャンル情報を、テレビジョン信号とともに、またはテレビジョン信号とは別に入力される電子番組ガイドのデータから検出する例である。
【００１３】
図１に示される画像表示装置１は、映像信号として、アナログテレビジョン信号、及び／またはデジタルテレビジョン信号（以下、これらをＴＶ信号と呼ぶ）を受信・選曲するためのチューナ２を含んでいる。アンテナにより受信されたＴＶ信号は端子８に入力され、チューナ２により所望のチャンネルが選局される。ここで、ＴＶ放送信号には、番組の情報を表す電子番組ガイドのデータ(以下、ＥＰＧデータと呼ぶ)が重畳もしくは混合されているものとする。上記チューナ２で選局された信号は、音声・映像処理回路３に供給され、復調やデコードなどの音声・映像の再生に必要な処理が施され、映像は表示デバイス４へ、音声はスピーカ５へ、それぞれ出力される。
【００１４】
音声・画像処理回路３の一構成例を図４に示す。端子１３には、チューナ２で選局されたＴＶ信号が入力され、音声復調回路１８により音声が再生され端子２０に出力される。一方、映像は、映像復調回路１４で復調され、ＹＣ分離回路１５で輝度信号、色信号に分離された後、スキャンコンバータ１６で画素数変換される。この画素数変換は、ＴＶ信号のピクセル数を表示デバイス４のピクセル数とあわせるために行われる。これにより、ＴＶ信号は、表示デバイス４の画素数と等しいピクセル数を持ち、端子１７から表示デバイス４へ出力される。また、番組情報検出回路２１では、放送でＴＶ信号とともに送信されたＥＰＧデータをＴＶ信号から分離して検出し、映像コンテンツ情報として、端子１９を介して制御回路６へ出力される。
【００１５】
表示デバイス４は、例えば液晶パネル、プラズマディスプレイパネル、ＦＥＤ、ＣＲＴ等で構成され、音声・映像処理回路３からの映像信号に基づいて映像の表示を行うとともに、ユーザの要求に応じ、ＥＰＧデータに基づく番組表を表示する。この番組表は、例えば横軸を時間軸、縦軸をチャンネル軸としたマトリクス形式の画面であり、複数チャンネルの現在〜将来の番組を確認、もしくは録画予約など行うためのものである。
【００１６】
上記番組情報検出回路２１で分離、検出されたＥＰＧデータは、例えばマイコン及びメモリを有する制御回路６に供給される。制御回路６は、上記ＥＰＧデータを、受信ＴＶ信号の映像コンテンツに関するデータとして取得してメモリ内に格納し、格納されたＥＰＧデータから受信ＴＶ信号のメインジャンル及びサブジャンルの情報を検出する。
【００１７】
そして制御回路６は、検出した受信ＴＶ信号のメインジャンル及びサブジャンルの情報に基づいて、外部機器の制御量を決定し、外部機器制御部７へ伝達する。外部機器制御部７は、制御回路６から得られた制御量に応じて外部機器の制御を行う。以上の構成によれば、映像コンテンツに応じた外部機器の制御が実現できる。ここで、外部機器は、例えば画像表示装置１が設置される部屋内の照明装置、エアコン、その他オーディオ機器等であり、映像コンテンツに応じてこれら外部機器が制御される。外部機器制御部７から各外部機器へ対して、外部機器を制御するための制御信号を無線により伝達してもいいし、有線により伝達するようにしてもよい。
【００１８】
次に、外部機器が、画像表示装置１が設置される部屋内の照明装置である場合を例にして、図２を用いて具体的な照明装置の制御例について説明する。この例では、外部機器制御部７による照明装置１０の制御は、赤外線を利用して行うこととしている。従って、外部機器制御部７は、赤外線送信機能を備えている。外部機器制御部７から送信される制御信号は、例えば蛍光灯や白熱灯などの照明装置に接続される制御受信部９へ伝達される。制御受信部９は、受信した制御信号に応じて照明装置１０を制御する。
【００１９】
ここで、ＥＰＧデータ、及びこのＥＰＧデータからのジャンル情報の検出、並びに検出結果に応じた照明制御の具体例について説明する。ＥＰＧデータは、上述したように、表示デバイス上に表示される番組表を構成するためのデータであり、複数の番組のそれぞれについて、例えば番組ジャンル情報、番組の開始及び終了時刻の情報、放送チャンネルの情報、番組名称に関する情報、及び番組内容に関する記述（番組の概要や出演者などの情報）を含んでいる。上に番組ジャンル情報としては、例えば「映画」、「ドラマ」、「アニメーション」、「スポーツ」等がある。また、上記番組名称、番組内容の記述は、ASCIIコードで構成された文字データを含んでいるものとする。これらの情報は、例えばＴＶ信号に重畳もしくは混合されており、ＴＶ信号の復調、デコードとともにＴＶ信号から分離されて制御回路６内のメモリに格納される。ここで、制御回路６内のメモリは、前チャンネルの数時間〜数日もしくは数週間分のＥＰＧデータを格納し、この内容は周期的に（例えば数時間または１日に１回）更新される。
【００２０】
制御回路６内のマイコンは、現在視聴中の番組に対応するＥＰＧデータをメモリ内から検索して抽出する。例えば図示しないリモコンに設けられた「外部機器制御ボタン」が操作されることにより、この操作されたときに画面上に表示された番組のチャンネル及び時刻から、該当番組をメモリから検索して対応するＥＰＧデータを抽出するようにしてもよい。ここで、現在視聴中の番組（すなわち表示デバイス４の画面上に表示されている番組）がアニメーション映画であるものとする。このとき、制御回路６内のマイコンは、メモリから、その番組のジャンル情報として「映画」を抽出する。これによりマイコンは、視聴中番組のメインジャンルが「映画」であることを検出して判定する。ここで、マイコンは、メインジャンルの情報毎に照明の制御量が予め設定されている。例えば、メインジャンルが「映画」に対しては、照明の明るさを第１の明るさとする制御量Ｌ１、「アニメーション」に対しては、照明の明るさを第１の明るさよりも高い第２の明るさとする制御量Ｌ２、「ドラマ」及び「スポーツ」に対しては、照明の明るさを第１の明るさと第２の明るさとの中間の第３の明るさとする制御量Ｌ３が、それぞれマイコンに設定されている。本例では、マイコンは番組のメインジャンルが「映画」であることを検出したので、照明の制御量Ｌ１を仮設定する。
【００２１】
続いて、制御回路６内のマイコンは、メモリに格納された番組内容の記述から、視聴中番組のサブジャンルを検出する。例えば、マイコンは特定のジャンルに関する文字列に対応する文字コードを予め記憶しており、例えば「アニメ」または「アニメーション」に対応する文字コードが番組内容の記述に含まれているかを、メモリに格納された視聴中番組のＥＰＧデータから検索する。その結果、「アニメ」または「アニメーション」に対応する文字コードが抽出された場合、マイコンは、視聴中番組のサブジャンルが「アニメーション」であることを検出して判定する。そしてマイコンは、照明の明るさが上記仮設定された制御量Ｌ１の場合よりも高くするように、該制御量Ｌ１を修正して最終的な照明の制御量Ｌ０を設定する。ここでは、制御量Ｌ１を制御量Ｌ２と等しくするように修正する。ここで得られる制御量Ｌ０は、制御量Ｌ２と等しくする必要はなく、少なくとも制御量Ｌ１よりも大きくすればよい。
【００２２】
このようにして設定された制御量Ｌ０は、外部機器制御部７に伝達され、赤外線により制御受信部９へ送信される。制御受信部９は、この制御量Ｌ０に応じて照明装置１０を制御する。これにより、現在視聴中の番組の映像コンテンツである「アニメーション映画」に適した照明の明るさを得ることができる。
【００２３】
上記例では、サブジャンルを検索する場合に「アニメ」または「アニメーション」に対応する文字コードを検索するようにしたが、それ以外の文字コード、例えば「ホラー」の文字列に対応する文字コードを検索するようにしてもよい。一般的にホラー映画は、暗いシーンが主体であり、このときに照明が明るいと黒浮きが目立つようになる。従って、サブジャンルとして「ホラー」を検索し、視聴中番組が「ホラー映画」である場合は、照明の制御量を、メインジャンルが「映画」である場合の制御量Ｌ１よりも低いＬ４とする。このようにすれば、「ホラー映画」を視聴する場合は、他の映画に比べて照明の明るさを暗くすることができ、画像表示装置１の周囲光に邪魔されることなく、見やすい明るさの中で視聴することができる。尚、マイコンが「アニメ」または「アニメーション」、または「ホラー」のいずれの文字列も検索できなかった場合は、最終的な制御量Ｌ０は仮設定された制御量Ｌ１とする。
【００２４】
また、マイコンがメインジャンル情報として「アニメーション」を検出した場合には、照明の制御量Ｌ２を選択肢、なるべく明るい環境で視聴できるようにする。アニメーションは、輝度・色が短時間で頻繁に変化する映像を含む場合があるので、照明を明るくして視覚的な刺激を抑えるようにすることが好ましい。
【００２５】
このように、本実施例では、ＥＰＧデータの番組ジャンル情報から視聴中番組のメインジャンル情報を検出し、ＥＰＧデータの番組内容の記述からサブジャンル情報を検出する。最初の例では、メインジャンル情報として「映画」を検出し、サブジャンル情報として「アニメーション」を検出するため、現在視聴中の番組が「アニメーション映画」であることを識別できる。このため、本実施例によれば視聴中番組の内容を詳細に把握して、それに適した照明制御を行うことができる。尚、上述した照明を暗くする場合は、照明を完全に消してしまうのではなく、適度な調光を行うことは言うまでも無い。
【００２６】
また、外部機器制御部７と制御受信部９は、一方向に情報を伝達するだけではなく、双方向に通信できるようにしてもよい。このようにすれば、例えば制御受信部９から現在の照明の明るさ情報を外部機器制御部７へ伝達し、この明るさ情報と検出されたジャンル情報とを用いて、照明を明るくするのか、暗くするのかを制御できるようになる。
【００２７】
上記例では、無線で制御信号を制御受信部９へ伝達したが、図３に示すように有線で伝達してもよい。図３において、外部機器制御部７からの制御情報は、端子１１を介して、制御部１２へ伝達され、照明装置１０を制御する。この構成によっても映像コンテンツの内容に応じた照明装置１０の明るさ制御が可能である。有線の種類としては、特に限定されることはなく、パソコンのＬＡＮと同一のイーサネット（登録商標）でもよく、独自形式のネットワークでもよい。また電源線を用いてもよい。なお、本実施例においては、外部機器制御の手段としては、上述の赤外線や有線でなくても、同様の効果が得られることは言うまでもない。
【００２８】
また上記の例では、ＥＰＧデータはＴＶ信号に重畳もしくは混合されて送信されるものとしたが、ＴＶ放送信号のチャンネルとは別のチャンネルにより送信される場合がある。このような場合でも、同様に本実施例の構成が適用され得ることは言うまでもない。また、本実施例では、入力映像信号を放送されたＴＶ信号として説明した。しかしながら、入力映像信号として、ＶＴＲやＤＶＤまたはハードディスクレコーダなどの映像再生装置からの信号を用いてもよい。
【実施例２】
【００２９】
次に、本発明の第２実施例について、図５及び６を参照しつつ説明する。また、本実施例は、映像コンテンツのメインジャンル情報をＥＰＧデータから検出し、サブジャンル情報をＴＶ信号のテレシネ変換方式を判別することにより検出する例である。以下の説明では、メインジャンル情報を検出する構成は上述した第１実施例と同じであるため、当該構成の説明については重複を避けるために省略する。
【００３０】
図５の例では、スキャンコンバータ１６に端子１９を接続し、この端子１９から映像情報を得るようにしている。尚、図４と同一符号のものは同一機能を有するものとする。すなわち、図５の構成例は、スキャンコンバータ１６からサブジャンル情報を得るようにしたものである。このスキャンコンバータ１６の一具体例を図６に示す。図６において、端子２２から入力される映像は、フィールド遅延回路２３，２４により遅延されるとともに、動き検出回路２５および補間処理回路２７へ入力される。補間処理回路２７は、動き検出回路２５で検出した動き情報に基づきインターレース映像をプログレッシブ映像（順次走査映像）に変換し、スケーリング回路２８により画素数の変換処理された後、出力端子１７から出力される。補間処理回路２７では、入力されたＴＶ信号がプログレッシブ映像である場合には、変換処理はせず、そのまま出力する。上記の補間処理回路２７でのプログレッシブ変換への変換方法には様々な公知の方法があるため、ここでの説明は省略する。
【００３１】
上記構成において、動き検出回路２５は、動き検出結果を元に、映像が放送局側で予めプルダウン処理された映像であるか、そうではないかの情報を端子１９へ出力される。この端子１９から出力された信号は、制御回路６のマイコンに供給され、サブジャンル情報を検出するための信号として利用される。
【００３２】
ところで、映像には、ＮＴＳＣ方式の場合、もともと秒間２４コマの映像を６０コマに変換しているものや、３０コマの映像を６０コマに変換しているものなどがある。このとき、周期的に同じコマの繰返しによりコマ数が変換される。毎秒２４コマの映像の場合は、例えば奇数番目のコマを２回、偶数番目のコマを３回繰返すことにより毎秒６０コマに変換する。また毎秒３０コマの映像の場合は、例えば奇数番目のコマを２回、偶数番目のコマも２回繰返すことにより毎秒６０コマに変換する。このような処理はプルダウン処理と呼ばれる。前者の繰り返し処理は２−３プルダウン処理と呼ばれ、後者の繰り返し処理は２−２プルダウン処理と呼ばれる。このようにプルダウン処理された映像の動き検出を行うと、繰返されたコマの場合は、動き量が無いか、若しくは、ごく小さな動きとして検出される。一方、繰返しではないコマでは、動画の場合にはそれよりは大きな動きとなって検出される。この動き検出結果を連続して計測すると、動きのあり、無しが周期的に現れることになり、プルダウン処理された映像であることが判定できる。さらに、元の映像が２４コマなのか、３０コマなのかも判定できる。すなわち、受信ＴＶ信号におけるフィールド間の動きの有無に関する周期性を検出することで、受信ＴＶ信号がプルダウン処理された信号かどうか、更には２−３プルダウンか２−２プルダウンかを判別することができる。
【００３３】
ところで、映像コンテンツにおいて、映画は多くが２４コマで製作されており、アニメーションの場合は３０コマで製作される。アニメーション映画は、ジャンルとしては映画であるにも関わらず、３０コマで製作される場合が多い。そこで本実施例は、まず第１実施例で説明したように、ＥＰＧデータから視聴中番組のメインジャンルを検出し、そしてフィールド間の動きの有無についての周期性を検出してサブジャンルを検出する。すなわち、本実施例は、テレシネ変換方式の種類、例えば受信ＴＶ信号が２−３プルダウン信号か２−２プルダウン信号かによって、サブジャンルを検出するものである。例えば、メインジャンルが「映画」であり、かつ元の映像が２４コマ（すなわち２−３プルダウン信号）と判定された場合は、実写映画と判定して照明の制御量を上記Ｌ１とする。一方、元の映像が３０コマ（すなわち２−２プルダウン信号）の場合には、アニメーションと判断して照明の制御量を上記Ｌ２またはＬ１よりも高くする。照明を明るくするように制御することにより良好な視聴環境が実現できる。このような構成によれば、メモリに記憶された文字コードを検索するための処理は不要となる。
【実施例３】
【００３４】
次に、本発明の第３実施例について、図８及び９を参照しつつ説明する。本実施例は、第１及び第２実施例のものに、更に映像特徴検出回路３０を設けた点である。すなわち本実施形態は、メインジャンル情報とサブジャンル情報の検出の他に、更に映像特徴を検出し、この映像特徴情報をも用いて照明の明るさを制御するものである。
【００３５】
図７において、特徴検出回路３０は、端子２２から入力される映像の特徴を検出し、端子３１へ映像の特徴の情報を出力する。例えば、特徴検出回路３０は、映像の特徴として、映像の１フレームまたは１フィールド期間の輝度情報の平均を検出して分析し、その輝度情報を制御回路６に出力する。これにより制御回路６内のマイコンは、例えば全体的に暗い映像である場合には、照明を暗くするようにし、明るい映像の場合には照明を明るくするように制御する。このような制御により、視聴中番組ジャンルと更に映像内容に応じて周囲の明るさを制御できるので、より視聴に適した環境（照明環境）を得ることができる。ここで、特徴検出回路３０は、映像の特徴として、映像の１フレームまたは１フィールド期間の輝度分布（輝度ヒストグラム）を検出してもよい。そして高輝度領域の出現頻度が所定値を超えたときは全体的に明るい映像と判断して照明を明るくし、逆に低輝度領域の出現頻度が所定値を超えたときは全体的に暗い映像と判断して照明を暗くしてもよい。
【００３６】
図８は、第３実施例の別の例を示している。これは、特徴検出回路３０の検出結果とともに、動き検出回路２５の検出するプルダウン処理された映像か、そうではないかの情報も併用して映像情報として端子３３へ出力するように構成したものである。この構成によれば、例えば、映像コンテンツが映画であっても、明るい映像であれば、照明を明るくし、暗い映像の場合にのみ暗くするように制御できるので、より視聴しやすい環境を得ることができる。すなわち、この第３実施例の別の例では、動き検出回路２５によって映像信号のテレシネ変換に関する第１の特徴を検出して映像コンテンツのジャンルを判別する。すなわち、上記第１の特徴として、２−３プルダウン信号を検出した場合は当該映像のジャンルは映画と判定し、一方、２−２プルダウン信号を検出した場合は当該映像のジャンルはアニメーションと判定する。このジャンル判定結果により照明の明るさに関する制御量を仮決定する。そして特徴検出回路３０によって、映像信号の輝度に関する第２の特徴（例えば平均輝度レベル、輝度ヒストグラム）を検出し、この第２の特徴の検出結果に応じて上記仮決定された制御量を修正し、最終的な明るさの制御量とする。これによって、例えば表示映像のジャンルが映画でも映像が明るい場合は（「映像」に対応する明るさの設定値よりも）照明を明るくし、またアニメーションの場合でも映像が暗い場合は（「アニメーション」に対応する明るさの設定値よりも）照明を暗くする。これによって、映像のコンテンツと輝度に応じた適切な視聴環境（照明の明るさ）を得ることが可能となる。
【００３７】
図９は、第３実施例の更に別の例を示している。これは、特徴検出回路３０の情報を利用して照明を制御するとともに、更にコントラスト制御回路３４を制御するように構成したものである。この構成によれば、照明の制御とともに、画面の表示特性も制御できるので、より細かな視聴環境の制御が可能になる。
【００３８】
以上説明した各実施例において、チューナ２により受信した場合について説明したが、この場合に受信する放送はアナログ方式であっても、デジタル方式であっても同様な効果が得られる。さらに、チューナ２で受信した映像でなくても、外部入力された映像であっても同様な効果が得られることは言うまでも無い。
【図面の簡単な説明】
【００３９】
【図１】本発明に係る画像表示装置の第１実施例を示す図
【図２】第１実施例を照明制御に適用した一例を示す図
【図３】第１実施例を照明制御に適用した別の例を示す図
【図４】音声・映像処理回路３の一具体例例を示す図
【図５】本発明に係る第２実施例を示す図
【図６】第２実施例におけるスキャンコンバータの一例を示す図
【図７】本発明に係る第３実施例を示す図
【図８】第３実施例の別の例を示す図
【図９】第３実施例の更に別の例を示す図
【符号の説明】
【００４０】
１…画像表示装置、２…チューナ、３…音声・画像処理回路、４…表示デバイス、５…スピーカ、６…制御回路、１０…外部機器制御手段。
【図１】
2006325043.tif 000003
【図２】
2006325043.tif 000004
【図３】
2006325043.tif 000005
【図４】
2006325043.tif 000006
【図５】
2006325043.tif 000007
【図６】
2006325043.tif 000008
【図７】
2006325043.tif 000009
【図８】
2006325043.tif 000010
【図９】
2006325043.tif 000011